(57)【要約】  【課題】  組み立て及び分解が容易であって、しかも曲線・曲面を基調とした装飾性の高い外観を呈する装飾構造体を提供する。  【解決手段】  シート材から成る６面装飾構造体であって、上面及び底面が同一の長方形（正方形の場合を含む）であり、１組の対向側面が共に凸面、他の１組の対向側面が共に凹面となっている。この凸面及び凹面は、曲面であってもよいし、平面を「く」字状に接続した面であってもよい。上面及び底面には、一方が突出片、他方がそれを挿入するスリットである係合手段を設ける。これにより、複数の装飾構造体を連接することができる。上面及び底面が正方形でない長方形である場合は、その長方形の長辺側が凸面、短辺側が凹面となっているタイプと、長辺側が凹面、短辺側が凸面となっているタイプとの２種類が存在する。これらをセットとして組み合わせることにより、変化に富んだ装飾構造体の組み合わせを構成することができる。【選択図】  図１
2006187962.tif 000002
【特許請求の範囲】
【請求項１】
シート材から成る６面装飾構造体であって、上面及び底面が同一の長方形であり、１組の対向側面が共に凸面、他の１組の対向側面が共に凹面となっていることを特徴とする装飾構造体。
【請求項２】
上記凸面及び凹面が曲面であることを特徴とする請求項１に記載の装飾構造体。
【請求項３】
上記凸面及び凹面が、平面を「く」字状に接続した面であることを特徴とする請求項１に記載の装飾構造体。
【請求項４】
上面及び底面が正方形でない長方形であり、該長方形の長辺側が凸面、短辺側が凹面となっているタイプと、長辺側が凹面、短辺側が凸面となっているタイプとの２種類がセットとなっていることを特徴とする請求項１〜３のいずれかに記載の装飾構造体。
【請求項５】
複数個の装飾構造体を連接するための係合手段を有することを特徴とする請求項１〜４のいずれかに記載の装飾構造体。
【請求項６】
上記係合手段が、上面及び底面の長方形の辺に、一方が突出片、他方がそれを挿入するスリットとして構成されていることを特徴とする請求項１〜５のいずれかに記載の装飾構造体。
【発明の詳細な説明】
【技術分野】
【０００１】
本発明は、室内の中央又は壁面近くの床上、或いは台上に載置して、空間を装飾する装飾構造体に関する。
【背景技術】
【０００２】
多くの芸術家、彫刻家が、石や金属等から成るオブジェを制作しているが、それらは所定の展示期間中に美術館の中や屋外に展示され、或いは永久展示物として屋内や建物の前、公園内等に設置される。これらは、一面では芸術作品であるが、それを利用する側からは周囲の空間を装飾する装飾構造体と見ることができる。
【０００３】
例えば、コンサートや発表会、或いは企業が行う新製品発表会等では、このような永久的又は半永久的に設置されるのものではなく、短期間だけ設置するような空間装飾構造体が望まれる。このように短期間だけ設置する場合には、石や金属等から成る重量物よりも、厚紙やプラスチックシートを折り曲げて製作される、軽量で取り扱いに便利であり、廃棄も容易なものが望ましい。
【０００４】
このような組み立て式の空間装飾構造体に関する考案は、これまでにも各種提案されている。例えば、特許文献１には、組み立てた後に、凹に湾曲した正面板が現れる、縦長の装飾構造体が開示されている。また、特許文献２には、略サイコロ状のユニットが、互いにずれて積み重ねられて成る装飾構造体が開示されている。更に、空間を装飾するためのものではないが、特許文献３には、曲面を有する、立体意匠的な効果を施した包装用容器が開示されている。
【特許文献１】実開平5-81011号公報
【特許文献２】実開平6-78976号公報
【特許文献３】特開2000-229620号公報
【発明の開示】
【発明が解決しようとする課題】
【０００５】
従来の組み立て式の装飾構造体は、いずれも、厚紙等を折り曲げて製作することを前提とするものであったため、直線を基調としたものであり、変化に乏しかった。
【０００６】
本発明が解決しようとする課題は、組み立て及び分解が容易であって、しかも曲線・曲面を基調とした装飾性の高い外観を呈する装飾構造体を提供することである。
【課題を解決するための手段】
【０００７】
上記課題を解決するために成された本発明に係る装飾構造体は、シート材から成る６面装飾構造体であって、上面及び底面が同一の長方形であり、１組の対向側面が共に凸面、他の１組の対向側面が共に凹面となっていることを特徴とする。なお、この「長方形」は、正方形である場合も含む。
【０００８】
この凸面及び凹面は曲面であってもよいし、２枚の平面が「く」字状に接続した面でもよい。
【０００９】
本発明に係る装飾構造体は、複数枚の分離したシート材により構成されていてもよいが、１枚のシート材を折り曲げて形成することが望ましい。
【００１０】
また、この装飾構造体を複数個連接するために、係合手段を設けてもよい。係合手段は、上面及び底面の長方形の辺に、一方が突出片、他方がそれを挿入するスリットを設けたものとすることが望ましい。このような係合手段を設けることにより、２個の（或いはそれ以上の）装飾構造体は、上下に連接する（すなわち、上面と底面を面接触させる）ことができる。
【発明の効果】
【００１１】
本発明に係る装飾構造体は、シート材から成るため、組み立て及び解体が容易であり、しかも軽量である。従って、コンサートや発表会、或いは企業が行う新製品発表会等、短期間だけ設置して、空間を装飾する用途に適している。シート材として厚紙や段ボールを用いることにより、廃棄も容易となり、環境にもやさしいものとなる。
【発明を実施するための最良の形態】
【００１２】
本発明に係る装飾構造体の第１の形態のものを図１に示す。この装飾構造体は、側面を曲面としたものである。図１に示すように、上面及び底面を正方形でない長方形とした場合、長辺側を凹面・短辺側を凸面としたもの（これをＡタイプと呼ぶ）と、長辺側を凸面・短辺側を凹面としたもの（これをＢタイプと呼ぶ）を作製することができる。図６に示すように、このＡタイプとＢタイプを上下及び／又は左右に連接することにより、各種形態の装飾構造体を作製することができる。なお、本発明に係る装飾構造体は上面及び底面が正方形であってもよいが、その場合にはＡタイプ・Ｂタイプの区別はなくなる。この場合、上下左右に連接することは更に容易となる。
【００１３】
本発明に係る装飾構造体の第２の形態を図２に示す。この装飾構造体は、側面を、１枚の平面を「く」字状に曲げた形としたものである。上面及び底面を長方形とした場合、上記同様、図２に示すように、長辺側を凹面・短辺側を凸面としたもの（Ａタイプ）と、長辺側を凸面・短辺側を凹面としたもの（Ｂタイプ）を作製することができ、これらＡタイプとＢタイプを上下又は／及び左右に連接することにより、各種形態の装飾構造体を作製することができる。図７に、上下に連接した場合の例を示す。この形態の場合も上記同様に、上面・底面を正方形とすることができる。
【実施例】
【００１４】
本発明に係る装飾構造体の各種実施例を、図を用いて説明する。
図３は上記第１の形態の装飾構造体の展開図であり、(a)がＡタイプ、(b)がＢタイプのものである。本発明に係る装飾構造体は、基本構造としては直方体（６面体）であるため、図３に示すように、それぞれ１枚の厚紙等のシート材を折り曲げて組み立てることができる。本実施例では、装飾構造体を組み立てる際、長方形の短辺側の側面ｓは二重となる。対向側面を凸面及び凹面とするため、４本の稜線は曲線となるが、厚紙等のシート材をきれいに折り曲げるために、特にそれら曲線状の稜線にはプレスにより折り線を付与しておくことが望ましい。
【００１５】
各装飾構造体について、上面の長方形の対向する２本の長辺にそれぞれ突出片１１が、底面の長方形の対向する２本の長辺にそれぞれスリット１２が設けられている。装飾構造体を組み立てた後は、一方の装飾構造体の２個の突出片１１を、他方の装飾構造体の２本のスリット１２にそれぞれ差し込み、横にずらすことにより、突出片１１の根元にある切欠１１ａがスリット１２の横の本体に引っかかり、両装飾構造体が固定されるようになる。
【００１６】
図４は、同じく第１の形態の装飾構造体の別の例の展開図である。この例では、１個の装飾構造体を２枚のシート材イ、ロで構成している。また、図３の実施例では短辺側の側面ｓが二重となっており、継ぎ目は稜線となるが、本実施例では短辺側の側面は中央で２枚の面ｓ１，ｓ２に分離され、両者は係合手段により継ぎ合わされている。このような構成は、特に稜線をきれいに見せたい場合に有効である。なお、本実施例では上面と底面を係合するための突出片２１とスリット２２は各長辺に２個設けられている。
【００１７】
図５は、上記第２の形態の装飾構造体の展開図の一例である。(a)がＡタイプ、(b)がＢタイプのものであり、図４の例と同様に、各装飾構造体が２枚のシート材で構成されるようになっている。
【００１８】
第１の形態の装飾構造体を複数個、上下に積み上げた状態を図６(a)に示す。また、左右にも連接し、柱６１のある壁面に沿うように設置した状態の例を図６(b)に示す。このような組み合わせ装飾構造体を、展示会等の床上や壁面前に置いておくことにより、その周囲の空間を華やかに装飾することができる。なお、図６(a)に示すように、積み上げた状態が不安定となる場合には、最も下の装飾構造体の底面にやや広い足６０を固定して、安定化することが望ましい。
【００１９】
同様に、第２の形態の装飾構造体を積み上げた組み合わせ装飾構造体の一例を図７に示す。
【図面の簡単な説明】
【００２０】
【図１】第１の形態の装飾構造体の斜視図。
【図２】第２の形態の装飾構造体の斜視図。
【図３】第１の形態の装飾構造体の第１の例の展開図。
【図４】第１の形態の装飾構造体の第２の例の展開図。
【図５】第２の形態の装飾構造体の一例の展開図。
【図６】第１の形態の装飾構造体を複数個、上下に積み上げた状態の斜視図(a)、および柱のある壁面に沿って上下左右に連接した状態の斜視図(b)。
【図７】第２の形態の装飾構造体を積み上げた組み合わせ装飾構造体の一例の斜視図。
【符号の説明】
【００２１】
１１、２１…突出片
１１ａ…切欠
１２、２２…スリット
６０…固定用足
６１…壁面の柱
【図１】
2006187962.tif 000003
【図２】
2006187962.tif 000004
【図３】
2006187962.tif 000005
【図４】
2006187962.tif 000006
【図５】
2006187962.tif 000007
【図６】
2006187962.tif 000008
【図７】
2006187962.tif 000009